【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
信号の経路の切替又は前記経路における前記信号の伝送の少なくともいずれかを実行する実行部と、指示部とを有する通信装置であって、
前記指示部は、指示を前記実行部に対して送信する第１インタフェースを有し、
前記実行部は、前記指示を受信する第２インタフェースを有し、前記指示に応じて、設定時間若しくは予め定められた時間の経過後又は即時の少なくともいずれかで、前記経路の切替、前記信号の伝送の開始又は前記信号の伝送の停止の少なくともいずれかを実行する、
通信装置。
【請求項２】
前記実行部は、前記指示を受信又は指示に応じて実行した場合、又は、前記実行部の対向する切替主体が前記指示を実行した場合、前記指示の応答を前記指示部に対して送信し、
前記指示部は、前記指示の応答を受信した後に、次の指示を前記実行部に対して送信する、
請求項１に記載の通信装置。
【請求項３】
前記指示部は、前記指示としての時間情報を前記実行部に対して送信し、
前記実行部は、前記時間情報を受信した場合、設定時間若しくは予め定められた時間の経過後に、前記経路の切替、前記信号の伝送の開始又は前記信号の伝送の停止の少なくともいずれかを実行する、
請求項１に記載の通信装置。
【請求項４】
前記指示部は、前記経路の下流にて所定期間において前記信号が伝送されていない場合、前記指示を前記実行部に対して送信する、
請求項１に記載の通信装置。
【請求項５】
前記指示部は、前記伝送を停止する時刻である停止時刻から設定時間若しくは予め定められた時間の経過後において前記伝送の停止の指示を前記実行部に対して送信し、前記伝送を開始する時刻である開始時刻から設定時間若しくは予め定められた時間の経過後において前記伝送の開始の指示を前記実行部に対して送信し、
前記実行部は、前記切替の指示を受信した場合、前記経路の切替、前記信号の伝送の開始又は前記信号の伝送の停止の少なくともいずれかを実行し、
前記実行部は、前記停止の指示を受信した場合に前記信号の伝送を停止し、前記開始の指示を受信した場合に前記信号の伝送を開始する、
請求項１に記載の通信装置。
【請求項６】
前記応答は対向装置から受信される、又は、前記応答は、前記実行部、前記実行部の対向装置若しくは前記実行部の下流の装置にて前記信号の伝送がないことの検出をもって代えられる、請求項２に記載の通信装置。
【請求項７】
前記設定時間若しくは予め定められた時間は、少なくとも応答の出力から切替までの時間から、当該切替の主体である切替主体から制御主体までの伝搬遅延と変換時間と処理時間との少なくともいずれかの応答遅延分を差し引いた時間、又は、応答の出力から切替までの時間から、当該切替主体から制御主体までの伝搬遅延と変換時間と処理時間との少なくともいずれかの応答遅延分を差し引き、制御主体から次の切替主体までの伝搬遅延と変換時間と処理時間との少なくともいずれかの応答遅延分を差し引いた時間である、請求項１から請求項６のいずれか一項に記載の通信装置。
【請求項８】
前記設定時間若しくは予め定められた時間は、前記指示部と前記実行部、若しくは、前記実行部と他の実行部が時刻同期していない場合、主体間の時刻差を取得し、その差又は差に応じた時間を前記指示部若しくは前記実行部の時刻に加減算した時間である、請求項１から請求項６のいずれか一項に記載の通信装置。
【請求項９】
前記指示部の動作を代行する代行装置を更に備える、請求項１から請求項８のいずれか一項に記載の通信装置。
【請求項１０】
信号の経路の切替又は前記経路における前記信号の伝送の少なくともいずれかを実行する実行部と、指示部とを有する通信装置が実行する通信方法であって、
前記指示部が、指示を前記実行部に対して送信するステップと、
前記実行部が、前記指示を受信し、前記指示に応じて、設定時間若しくは予め定められた時間の経過後又は即時のすくなくともいずれかで、前記経路の切替、前記信号の伝送の開始又は前記信号の伝送の停止の少なくともいずれかを実行するステップと
を含む通信方法。
【請求項１１】
コンピュータを、請求項１から請求項９のいずれか一項に記載の通信装置として機能させるための通信プログラム。
【手続補正２】
【補正対象書類名】明細書
【補正対象項目名】０００９
【補正方法】変更
【補正の内容】
【０００９】
本発明の一態様は、信号の経路の切替又は前記経路における前記信号の伝送の少なくともいずれかを実行する実行部と、指示部とを有する通信装置であって、前記指示部は、指示を前記実行部に対して送信する第１インタフェースを有し、前記実行部は、前記指示を受信する第２インタフェースを有し、前記指示に応じて、設定時間若しくは予め定められた時間の経過後又は即時の少なくともいずれかで、前記経路の切替、前記信号の伝送の開始又は前記信号の伝送の停止の少なくともいずれかを実行する、通信装置である。
【手続補正３】
【補正対象書類名】明細書
【補正対象項目名】００１０
【補正方法】変更
【補正の内容】
【００１０】
本発明の一態様は、上記の通信装置であって、前記実行部は、前記指示を受信又は指示に応じて実行した場合、又は、前記実行部の対向する切替主体が前記指示を実行した場合、前記指示の応答を前記指示部に対して送信し、前記指示部は、前記指示の応答を受信した後に、次の指示を前記実行部に対して送信する。
【手続補正４】
【補正対象書類名】明細書
【補正対象項目名】００１１
【補正方法】変更
【補正の内容】
【００１１】
本発明の一態様は、上記の通信装置であって、前記指示部は、前記指示としての時間情報を前記実行部に対して送信し、前記実行部は、前記時間情報を受信した場合、設定時間若しくは予め定められた時間の経過後に、前記経路の切替、前記信号の伝送の開始又は前記信号の伝送の停止の少なくともいずれかを実行する。
【手続補正５】
【補正対象書類名】明細書
【補正対象項目名】００１３
【補正方法】変更
【補正の内容】
【００１３】
本発明の一態様は、上記の通信装置であって、前記指示部は、前記伝送を停止する時刻である停止時刻から設定時間若しくは予め定められた時間の経過後において前記伝送の停止の指示を前記実行部に対して送信し、前記伝送を開始する時刻である開始時刻から設定時間若しくは予め定められた時間の経過後において前記伝送の開始の指示を前記実行部に対して送信し、前記実行部は、前記切替の指示を受信した場合、前記経路の切替、前記信号の伝送の開始又は前記信号の伝送の停止の少なくともいずれかを実行し、前記実行部は、前記停止の指示を受信した場合に前記信号の伝送を停止し、前記開始の指示を受信した場合に前記信号の伝送を開始する。
【手続補正６】
【補正対象書類名】明細書
【補正対象項目名】００１４
【補正方法】変更
【補正の内容】
【００１４】
本発明の一態様は、上記の通信装置であって、前記応答は対向装置から受信される、又は、前記応答は、前記実行部、前記実行部の対向装置若しくは前記実行部の下流の装置にて前記信号の伝送がないことの検出をもって代えられる。
本発明の一態様は、上記の通信装置であって、前記設定時間若しくは予め定められた時間は、少なくとも応答の出力から切替までの時間から、当該切替の主体である切替主体から制御主体までの伝搬遅延と変換時間と処理時間との少なくともいずれかの応答遅延分を差し引いた時間、又は、応答の出力から切替までの時間から、当該切替主体から制御主体までの伝搬遅延と変換時間と処理時間との少なくともいずれかの応答遅延分を差し引き、制御主体から次の切替主体までの伝搬遅延と変換時間と処理時間とのの少なくともいずれかの応答遅延分を差し引いた時間である。
本発明の一態様は、前記設定時間若しくは予め定められた時間は、前記指示部と前記実行部、若しくは、前記実行部と他の実行部が時刻同期していない場合、主体間の時刻差を取得し、その差又は差に応じた時間を前記指示部若しくは前記実行部の時刻に加減算した時間である。
本発明の一態様は、上記の通信装置であって、前記指示部の動作を代行する代行装置を更に備える。
【手続補正７】
【補正対象書類名】明細書
【補正対象項目名】００１５
【補正方法】変更
【補正の内容】
【００１５】
本発明の一態様は、信号の経路の切替又は前記経路における前記信号の伝送の少なくともいずれかを実行する実行部と、指示部とを有する通信装置が実行する通信方法であって、前記指示部が、指示を前記実行部に対して送信するステップと、前記実行部が、前記指示を受信し、前記指示に応じて、設定時間若しくは予め定められた時間の経過後又は即時のすくなくともいずれかで、前記経路の切替、前記信号の伝送の開始又は前記信号の伝送の停止の少なくともいずれかを実行するステップとを含む通信方法である。